(57)【要約】【課題】  ディスプレイに画素の欠陥が生じていても、その対応の容易化が図られ、精度良く視力検査を行うことができる視標呈示装置を提供する。【解決手段】  視標が形成された視標画面を表示するディスプレイと、視標画面を選択する視標選択手段と、視標画面に形成する視標の形成データを記憶する記憶手段と、視標選択手段による信号と視標の形成データに基づきディスプレイに視標を表示する視標呈示装置は、ディスプレイの画素に欠陥が生じている場合に、視標選択手段で選択される視標画面毎に視標の表示位置を画素の欠陥の影響を避けた位置に調整する調整手段と、視力検査時に視標の表示位置が調整された視標画面が選択されたときに、視標位置調整手段による調整情報に基づき表示位置を調整した視標をディスプレイに表示する表示制御手段と、を備える。【選択図】      図５
2010233964.tif 000002
【特許請求の範囲】
【請求項１】
１つ又は複数の視力検査視標が形成された視標画面を表示するディスプレイと、視標画面を選択する視標選択手段と、視標画面に形成する視標の形成データを記憶する記憶手段と、前記視標選択手段による選択信号及び視標の形成データに基づいて前記ディスプレイに視標を表示する視標呈示装置において、
ディスプレイが持つ多数の画素の一部に欠陥が生じている場合に、前記視標選択手段により選択される視標画面毎に視標の表示位置を画素の欠陥の影響を避けた位置に調整する視標位置調整手段と、視力検査時に視標の表示位置が調整された視標画面が前記視標選択手段により選択されたときに、前記視標位置調整手段による調整情報に基づいて表示位置を調整した視標を前記ディスプレイに表示する表示制御手段と、を備えることを特徴とする視標呈示装置。
【請求項２】
請求項１の視標呈示装置において、前記視標位置調整手段は、（ａ）視標画面上の視標の表示位置と欠陥位置とを操作者が確認し、操作者が視標画面上の視標の位置を移動させるための信号を入力する移動信号入力手段を有する第１調整手段、又は（ｂ）画素の欠陥位置を入力する欠陥位置入力手段と、前記視標選択手段により選択された視標画面又は前記視標選択手段により選択可能な視標画面毎に、入力された欠陥位置と視標の形成データとに基づいて欠陥位置と視標とが所定の条件を満たすように視標の表示位置を演算する視標位置演算手段を有する第２調整手段、の何れかを備えることを特徴とする視標呈示装置。
【請求項３】
請求項２の視標呈示装置において、前記視標位置演算手段は、入力された欠陥位置と視標の形成データとに基づいて、欠陥位置に対して視標の所定部位が所定距離だけ離れた位置又は欠陥位置の画素が視標と重なる位置に視標の表示位置を演算することを特徴とする視標呈示装置。
【発明の詳細な説明】
【技術分野】
【０００１】
本発明は、視力検査視標を表示するディスプレイを持つ視標呈示装置に関する。
【背景技術】
【０００２】
液晶等の薄型のディスプレイを持つ視標呈示装置が実用化されている（特許文献１、２等を参照）。ディスプレイ式の視標呈示装置では、様々な視標を表示でき、視標のバリエーションを容易に広げることができる等、呈示視標の自由度が高い。また、ディスプレイに表示される視標は高速な切換えが可能であり、検査を迅速に行える等、従来の視標呈示装置に比べて有利な点が多い。
【先行技術文献】
【特許文献】
【０００３】
【特許文献１】特開２００７‐２９６１００号公報
【特許文献２】特開２００８−２３１２９号公報
【発明の概要】
【発明が解決しようとする課題】
【０００４】
ところで、ディスプレイは多数の画素で構成されており、多数の画素の一部に欠陥が生じている場合がある。サイズの小さな視力検査視標（視力値の高い視力検査視標）がディスプレイに表示される際、視標の表示位置から離れた位置に画素の欠陥が生じていても実用的な問題は少ないが、例えば、ランドルト環視標の切れ目の間又は切れ目に近接してドットの欠陥が生じている場合には、視力検査の精度が低下してしまう。このような画素の欠陥が発生したディスプレイが視標呈示装置に使用されないように、ディスプレイの欠陥検査を厳密に行うと、視標呈示装置の製造コストが極めて高くなる。また、初期の段階では支障が無かった位置の画素の欠陥であっても、検査視標の種類が変更又は追加されると、前述のように問題が生じることがある。またさらに、眼科医等で長期に使用されることにより、新たな画素の欠陥が生じることもある。
【０００５】
本発明は、ディスプレイに画素の欠陥が生じている場合でも、その対応の容易化が図られ、精度良く視力検査を行うことができる視標呈示装置を提供することを技術課題とする。
【課題を解決するための手段】
【０００６】
上記課題を解決するために、本発明は以下のような構成を備えることを特徴とする。
【０００７】
（１）  １つ又は複数の視力検査視標が形成された視標画面を表示するディスプレイと、視標画面を選択する視標選択手段と、視標画面に形成する視標の形成データを記憶する記憶手段と、前記視標選択手段による選択信号及び視標の形成データに基づいて前記ディスプレイに視標を表示する視標呈示装置において、ディスプレイが持つ多数の画素の一部に欠陥が生じている場合に、前記視標選択手段により選択される視標画面毎に視標の表示位置を画素の欠陥の影響を避けた位置に調整する視標位置調整手段と、視力検査時に視標の表示位置が調整された視標画面が前記視標選択手段により選択されたときに、前記視標位置調整手段による調整情報に基づいて表示位置を調整した視標を前記ディスプレイに表示する表示制御手段と、を備えることを特徴とする。
（２）  （１）の視標呈示装置において、前記視標位置調整手段は、（ａ）視標画面上の視標の表示位置と欠陥位置とを操作者が確認し、操作者が視標画面上の視標の位置を移動させるための信号を入力する移動信号入力手段を有する第１調整手段、又は（ｂ）画素の欠陥位置を入力する欠陥位置入力手段と、前記視標選択手段により選択された視標画面又は前記視標選択手段により選択可能な視標画面毎に、入力された欠陥位置と視標の形成データとに基づいて欠陥位置と視標とが所定の条件を満たすように視標の表示位置を演算する視標位置演算手段を有する第２調整手段、の何れかを備えることを特徴とする。
（３）  （２）の視標呈示装置において、前記視標位置演算手段は、入力された欠陥位置と視標の形成データとに基づいて、欠陥位置に対して視標の所定部位が所定距離だけ離れた位置又は欠陥位置の画素が視標と重なる位置に視標の表示位置を演算することを特徴とする。
【発明の効果】
【０００８】
本発明によれば、ディスプレイに画素の欠陥が生じている場合でも、その対応の容易化が図られ、精度良く視力検査を行うことができる。
【発明を実施するための形態】
【０００９】
以下、本発明の実施例を図面に基づいて説明する。図１は視標呈示装置の外観略図である。視標呈示装置１の筐体２の前面には、カラーの液晶ディスプレイ３０を持つ視標呈示部３が配置されている。呈示部３のディスプレイ３０は、被検者との距離が５ｍ等の遠方の検査距離に置かれた場合にも、視力値０．１等の大きなサイズの視力検査視標１００を表示可能な大きさを持つ画面を備える。視力検査視標の視力値、視標の種類等は、リモコン（視標選択ユニット）２０からの視標の選択信号に基づいて切換えられる。
【００１０】
筐体２の正面の下方には、リモコン２０からの赤外光の通信信号を受信する受信部５が配置されている。また、視標呈示装置１の筐体の下方には呈示部３上に条件設定画面を表示し、検査距離等の各種パラメータを設定する際の操作部として使用されるファンクションスイッチ７が設けられている。
【００１１】
図２は、呈示部３の構成と装置の制御系ブロック図である。呈示部３に配置されたディスプレイ３０は、例えば、１９インチ、１７インチ等の大きな画面を持つものが使用される。本実施形態でのディスプレイ３０の画面は、横１２８０×縦１０２４の画素を持つものが使用されている。この場合、１画素のサイズは、１９インチのディスプレイでは０．２９４ｍｍ×０．２９４ｍｍであり、１７インチのディスプレイでは０．２６４ｍｍ×０．２６４ｍｍである。なお、カラーのディスプレイの場合、周知の構成により、各画素から赤、緑及び青の光が発せられる。例えば、液晶ディスプレイでは、画素毎に赤、緑及び青のフィルタ（以下、ＲＧＢフィルタ）が配置され、赤、緑及び青の各フィルタに対応した位置に配置された発光電極が制御されることにより、ＲＧＢフィルタから赤、緑及び青の光が発せられる。
【００１２】
ディスプレイ３０、受信部５は制御ユニット１１に接続される。制御ユニット１１は、リモコン２０からの指令信号を解読するデコーダ回路等を備え、リモコン２０から視標切換え信号等が入力されると、ディスプレイ３０の各画素３１の表示を制御する。また、制御ユニット１１にはメモリ１２が接続される。メモリ１２には、ランドルト環視標、ひらがな視標、Ｅチャート等、様々な視力検査視標の画像データが視力値０．０３〜２．０まで所定のステップ毎に記憶されている。制御ユニット１１は、視力値毎の視標をディスプレイ３０の予め定められた座標位置（アドレス）に表示させるプログラムを持ち、リモコン２０から視標切換え信号が入力されると、表示プログラムに従って各視標をディスプレイ３０に表示する。
【００１３】
図３はリモコン２０の構成図である。図３（ａ）において、リモコン２０の前方には、視標選択信号を光信号により送信するための通信窓２０ａが設けられている。リモコン２０の前面には、スイッチ部２０ｂと、呈示視標の情報または操作上のメッセージを表示する液晶ディスプレイ２１とが配置されている。スイッチ部２０ｂには、ひらがな視標、ランドルト環視標、Ｅチャートなどの視力検査視標の種類を選択するスイッチ２２と、視力検査視標の視力値を切換えるためのスイッチが配置されたスイッチパネル２３、一文字視標（一画面に一つの視標が形成された視標画面）を表示するか字詰まり視標（一画面に複数の視標が形成された視標画面）を表示するかを選択するスイッチ２４と、ランドルト環視標等の一文字視標の方向を右／左／上／下に切換えるスイッチ２５ａ，２５ｂ，２５ｃ及び２５ｄからなるスイッチ２５と、検査プログラムの選択等の信号を入力するスイッチ２９ａ，２９ｂ及び２９ｃと、等の各種スイッチが配置されている。
【００１４】
なお、スイッチ２５ｃ及び２５ｄは、字詰まり視標が選択されているときには、上段又は下段の横一列表示を切換え、表示される横一列表示の視標の視力値をアップ／ダウンさせるスイッチとして使用される。また、スイッチパネル２３には１８個のスイッチが配置され、字詰まり視標の表示に際して、それぞれ視力値０．０３〜２．０が割り当てられている。例えば、スイッチ２３ａが選択されると、ディスプレイ３０には視力値１．２、１．５及び２．０の視標からなる字詰まり視標を持つ視標画面１００（図４参照）が表示される。また、図３（ｂ）に示されるリモコン２０の背面には、ロータリースイッチ２８ａが配置されている。ロータリースイッチ２８ａではチャンネル０〜９が選択可能であり、チャンネル１〜９の選択により、スイッチ部２０ｂの各スイッチの機能が切換えられる。
【００１５】
次に、ディスプレイ３０の画素に欠陥が発生した場合の対応方法を説明する。なお、画素の欠陥には、画素が発光されずに黒色の表示となる黒点と、画素毎のＲＧＢフィルタに対応した各色の発光電極のいずれかに断線又はショート等の不具合があり、少なくとも１つの色が常時発光してしまう輝点とがある。以下、限定がない限り、画素の欠陥には黒点と輝点が含まれるものとする。
【００１６】
まず、検査視標の表示に関する表示プログラムを説明する。図４は３行×５列の字詰まり視標画面１００の表示例である。視力検査視標として視力値１．２〜２．０のランドルト環視標が表示されている。視標画面１００の１行目に視力値１．２の視標１０１〜１０５が表示され、２行目に視力値１．５の視標１０６〜１１０が表示され、３行目に視力値２．０の視標１１１〜１１５が表示されている。各視標１０１〜１１５は黒色の表示であり、各視標の背景は白地の表示とされる。この視標画面１００は、スイッチ２３ａの視標選択信号が入力されたときにディスプレイ３０に表示される。なお、図４は後述する欠陥Ｂ１の位置を分かり易く示すために、模式的に描かれている。
【００１７】
図４では、３行×５列の１５個の視標１０１〜１１５を表示するために、ＸＹ座標位置（ｘ、ｙ）が決められている。横１２８０×縦１０２４の画素を持つディスプレイにおいて、各視標が表示される中央位置の縦ラインＸ１，Ｘ２，Ｘ３，Ｘ４及びＸ５は、左端からｘ＝１６４、４０２、６４０、８７８、１１６に定められている。各視標が表示される中央位置の横ラインＹ１，Ｙ２及びＹ３は、上端からｙ＝２１９，５１２，８０５の画素位置に定められている。各縦ラインと横ラインの交点に各視標１０１〜１１５の中心が位置するように表示プログラムが設定され、各視標の形成データ（背景に対する視標部分の画像データ）及び視標の表示位置データはメモリ１２に記憶されている。
【００１８】
図５は、図４における視力値２．０の一つの視標１１１の拡大図である。視力値２．０のランドルト環視標１１１の画像データは、Ｘ軸方向のドット数×Ｙ軸方向のドット数＝１０×１０＝１００ドットで表現される。この場合、視標１１１の中心Ｃは、視標の画像データを構成するＸ軸、Ｙ軸のドット数をそれぞれ２分割したときの延長線の交点となる。この視力検査視標の中心Ｃが、図４の縦ラインＸ１と横ラインＹ１の交点座標の左上に位置されるように、表示プログラムが設定されている。他の視標１０１〜１１０、１１２〜１１５も同様に、ディスプレイ３０上の表示位置が設定されている。
【００１９】
なお、実際の視標の表示では、アンチエイリアス処理により被検者眼に視覚的に認識されるランドルト環の境界線が滑らかに見えるように、視標の形成データが作成される（通常、視標は画素単位で表現されるため、視標は画素の形状に沿った形状に制限される）。図５ではアンチエイリアス処理により被検者眼に認識される視標の形状として、便宜的に示されている。アンチエイリアス処理とは、ランドルト環視標の境界線に位置する画素の黒色の割合を調整することで、視覚的に境界線が滑らかに見えるようにする処理である。
【００２０】
上記のような表示プログラムにより表示される視標１１１において、図５のように、ランドルト環視標の切れ目（視標の所定部位）の間に欠陥Ｂ１が発生しているものとする。この場合、被検者眼には実際の視標１１１の切れ目の幅ｄが正しく認識されず、視力検査が正確に行われなくなる。
【００２１】
そこで、図４の視標の表示に際して、操作者（検者）は次のように視標の表示位置を調整する。図３（ｂ）に示されたロータリースイッチ２８ａの設定がチャンネル９に選択されると、リモコン２０の所定のスイッチが視標位置の調整モードの信号入力用に切換えられる。リモコン２０のスイッチ２９ａが押された状態で電源スイッチ２６が押されると、リモコン２０の制御ユニット２７（図２参照）はディスプレイ２１上に「Adjust of Chart LCD, Start?」と、調整モードの開始を確認するメッセージを表示させる。スイッチ２９ｂが押されると、制御部２７はリモコン２０の設定を調整モードにすると共に、通信窓２０ａから装置本体１を調整モードに切換えるための信号を送信する。受信部５で信号が受信されると、制御ユニット１１は装置本体１の設定を調整モードに切換えると共に、ディスプレイ３０上に「Adjust bad dots」と調整モードが設定されていることを示すメッセージを表示させる。メッセージが表示されることで、操作者が誤って調整モードで視力検査を行う等の誤操作が防止される。
【００２２】
操作者は、リモコン２０のスイッチ部２０ｂのスイッチ２３を選択し、視標１０１〜１１５を持つ視標画面１００をディスプレイ３０に表示させる。操作者はディスプレイ３０の画面上の欠陥Ｂ１と視標１１１との位置関係を確認する。スイッチ２９ｃが押された状態で、スイッチ２５ａ，２５ｂ，２５ｃ及び２５ｄの選択によるスイッチ信号は、視標１１１の表示位置を左右上下に移動させる信号として入力される。例えば、図５（ｂ）のように、欠陥Ｂ１から視標１１１が左側に４画素分だけ離れるように、操作者はスイッチ２５ａにより視標１１１の移動信号を入力する。スイッチ２５ａが押されるごとに、視標１１１が１画素分左に移動される。欠陥Ｂ１が黒点であっても、視標背景が白地であり、白色の光は光量があるため、視標１１１の切れ目（視標の特定部位）から黒点が１．０ｍｍ以上（４画素分以上）離れていれば、視力検査での検査距離３〜５ｍ離れた位置からは、欠陥の黒点は実質的に視認されなくなる。図５の例では、視標１１１を欠陥Ｂ１から６画素（約１．５ｍｍ）だけ左にずらした位置に表示されている。これにより、被検者は欠陥Ｂ１を視標１１１の一部と誤認識することが無くなる。なお、図４のように、複数の視標が表示される画面においては、個々の視標の表示位置が移動されると、他の視標との位置関係に違和感が生じるので、本装置では画面上の全ての視標（図４の例では、１５個の視標１０１〜１１５）が一体的に移動される。
【００２３】
図６は、視標１０１〜１１５の全体が６画素分左側へ移動された状態の画面例である。操作者は、欠陥Ｂ１が視標の視認に影響の無いことを確認し、調整後の視標の表示位置をメモリ１２に記憶させるために、スイッチ２９ｃを押す。リモコン２０からのスイッチ２９ｃの信号が入力されると、制御ユニット１１は、視標画面１００が選択されたときの各視標１０１〜１１５の表示位置を、初期の表示プログラムでの位置に対して６画素分だけ左側にずらした位置とするように表示プログラムを調整する。すなわち、この例では、調整後の各視標が表示される中央位置の縦ラインＸ１，Ｘ２，Ｘ３，Ｘ４及びＸ５は、ｘ＝１５８、３９４、６３４、８７２、１１０に変更される。
【００２４】
操作者は、スイッチ部２０ｂにより視標画面を選択し、欠陥Ｂ１が各画面内で表示される視標に支障が無いかを確認する。調整が必要な視標があれば、上記と同様に選択された視標画面内の視標位置を調整する。必要な視標画面の調整が終了した後、スイッチ２９ａのスイッチ信号が入力されると、調整モードが終了される。そして、調整が行われた視標画面１００が持つ視標位置の調整情報がメモリ１２に記憶される。
【００２５】
実際の視力検査において、スイッチ２３ａにより視標画面１００が選択されると、制御ユニット１１は各視標１０１〜１１５の表示位置の調整情報をメモリ１２から呼び出し、呼び出した調整情報に基づいてディスプレイ３０の表示を制御する。これにより、図６のように、欠陥Ｂ１に影響されない位置に視標が表示され、正確な視力検査が可能になる。
【００２６】
なお、欠陥Ｂ１が黒点の場合で、視標１１１が黒色である場合には、図５（ｃ）のように、欠陥Ｂ１が視標１１１内に重ねられるように、視標１１１の表示位置をずらしても良い。図５（ｃ）の例では、初期の視標１１１の中心位置Ｃが右側へ１画素移動され、上側に２画素移動されることにより、黒点の欠陥Ｂ１が黒色の視標１１１内に埋もれる状態となる。
【００２７】
上記は、画素の欠陥の影響を避けた視標の移動位置を操作者が目視で確認して調整（決定）する方法であったが、以下では自動的に視標の移動位置を調整（決定）する方法を説明する。
【００２８】
ロータリースイッチ２８ａの設定がチャンネル８に選択されると、リモコン２０の所定のスイッチが視標位置の自動調整モードの信号入力用に切換えられる。リモコン２０のスイッチ２９ａが押された状態で電源スイッチ２６が押されると、自動調整モードに設定され、ディスプレイ３０の画面には、図７に示されるように、画素の欠陥Ｂ１、Ｂ２の位置を特定するためのカーソルＣＡが表示される。カーソルＣＡは、図８に示されるように、中央の色が抜けた縦及び横ラインからなる十字カーソルの形状である。縦及び横ラインの幅は５画素程度であり、画素の欠陥をカーソルＣＡの中心に位置させることで欠陥の位置が特定される。なお、図７には、ディスプレイ３０に、複数の欠陥Ｂ１，Ｂ２が生じている状態が示されている。
【００２９】
自動調整モードでは視標は表示されず、スイッチ２００が押される毎に画面１５０の背景の色が、白色、黒色、赤色、緑色及び青色に変えられる。操作者は、欠陥Ｂ１，Ｂ２を確認しやすいように、画面１５０に色を切換える。例えば、欠陥Ｂ１が黒点であれば、画面の色を白色に切換える。また、カーソルＣＡの色もスイッチ２０１により、白色、黒色、赤色、緑色及び青色等に変えられる。例えば、カーソルＣＡの色を赤色にする。カーソルＣＡは、スイッチ２５ａ，２５ｂ，２５ｃ及び２５ｄにより左右上下に移動される。操作者は、始めに欠陥Ｂ１の位置を確認し、カーソルＣＡの中心に欠陥Ｂ１が位置するようにスイッチ２５ａ，２５ｂ，２５ｃ，又は２５ｄによりカーソルＣＡを移動させる。図８のように、カーソルＣＡの中心に欠陥Ｂ１が位置した状態で、スイッチ２９ｃが押されると、欠陥Ｂ１の位置が特定され、その位置がメモリ１２に記憶される。また、図７に示すように複数の欠陥Ｂ１、Ｂ２がある場合には、同様に、カーソルＣＡを移動して欠陥Ｂ２の位置を特定する。欠陥Ｂ２が白色又は青等の輝点の時は、画面１５０の背景色が黒、赤等に切り換えられることにより、確認されやすくなる。また、カーソルの色も、画面１５０の背景色及び欠陥Ｂ２の色と異なる色にされることにより、確認されやくなる。欠陥Ｂ２の位置も、スイッチ２９ｃが押されることにより特定され、その位置がメモリ１２に記憶される。
【００３０】
スイッチ２９ａが押されると、欠陥位置の入力段階が終了される。スイッチ２９ａの信号が入力されると、制御ユニット１１は、メモリ１２に記憶された欠陥位置データ及び視標の形成データに基づき、リモコン２０の各スイッチで選択された視標画面又はリモコン２０の各スイッチで選択可能な視標画面毎に、視標の特定部位（視標の切れ目）が欠陥Ｂ１、Ｂ２から所定距離だけ離れるように、視標の表示位置を演算する。
【００３１】
例えば、図７に示す２つの欠陥Ｂ１、Ｂ２のうち、始めに視標サイズの小さな視標の近くにある欠陥Ｂ１に対して、視標の表示位置視標を移動させる位置が調整される。図５（ａ）のように、欠陥Ｂ１が視標１１１の切れ目の間又は付近にあった場合は、視標１１１の切れ目から外側へ欠陥Ｂ１が４画素以上（１．０ｍｍ以上）離れるように、視標１１１の中心Ｃがディスプレイ３０上のＸＹ座標上での位置が調整される。例えば、図５（ｂ）のように、所定距離として１．５ｍｍ（６画素）だけ欠陥Ｂ１から視標１１１の切れ目が離れるように、視標１１１が左方向へ移動される。このとき、仮に、隣り合う視標１１２，１０６の切れ目と欠陥Ｂ１との距離が１．５ｍｍ（６画素）の条件を満たさなくなったら、上方向又は下方向に視標１１１が移動され、隣り合う視標１１２，１０６に対する条件を満たすように視標１１１の移動位置が調整される。
【００３２】
次に、欠陥Ｂ２に対する調整が行われる。欠陥Ｂ１に対しては所定の条件を満たしても、欠陥Ｂ２に対して他の視標が所定の条件を満たさなくなる場合がある。例えば、視標１１１が左側に移動された場合には、さらに左方向と直交する方向の上側又は下側に視標が移動され、欠陥Ｂ１に対して他の視標の切れ目についても、１．５ｍｍ（６画素）だけ離れるように視標画面１００内の視標の表示位置が調整される。隣合う視標に影響が生じた場合には、さらに他の方向に視標が移動され、欠陥Ｂ１及びＢ２に対して、視標画面１０内の全ての視標が前述の条件を満たすように、視標の表示位置が調整される。なお、好ましくは、欠陥は視標１１１の外側に位置するように視標の移動位置が調整されるが、欠陥が視標１１１の内側に入っても良い。
【００３３】
図９は、欠陥Ｂ１及びＢ２に対して各視標が重ならず、所定の条件を満たすように視標の移動位置が決定された例である。制御ユニット１１は、リモコン２０で選択可能な他のすべての視標画面について、同様に欠陥Ｂ１及びＢ２に対して各視標が重ならず、所定の条件を満たすように視標の表示位置を調整し、各視標画面について視標の位置調整情報をメモリ１２に記憶する。なお、視標の表示位置の調整を必要とする視標画面は、操作者がスイッチ部２０ｂにより選択し、選択された視標画面についてのみ自動的に調整Ｓれるようにしても良い。
【００３４】
ロータリースイッチ２８ａの設定チャンネルがチャンネル１等の検査モードに切換えられることにより、自動調整モードが終了され、通常の視力検査が可能になる。そして、視力検査において、スイッチ２３ａにより視標画面１００が選択されたとき、制御ユニット１１は各視標１０１〜１１５を表示するときの調整情報をメモリ１２から呼び出し、呼び出した調整情報に基づいてディスプレイ３０の表示を制御する。これにより、欠陥Ｂ１、Ｂ２に影響されない位置に視標が表示され、正確な視力検査が可能になる。
【００３５】
以上のように、自働調整モードでは複数の欠陥Ｂ１，Ｂ２等があった場合でも、これらの位置を特定する情報が入力されることにより、リモコン２０で選択される全ての視標画面の視標に関して欠陥との位置関係が調べられ、検査に影響のある視標画面については視標の移動位置が所定の条件を満たすように自動的に決定される。その為、手動の調整モードの方法に比べて、操作者の手間が省かれる。
【００３６】
また、自動調整モードの位置調整の方法では、欠陥の黒点と輝点とが区別されて登録されると都合が良い。この場合には、スイッチ２００の操作で白色背景に設定されているときに選択された欠陥が黒点、スイッチ２００の操作で黒色背景に設定されているときに選択された欠陥が輝点であると制御ユニット１１に認識させれば良い。このようにすると、制御ユニット１１は登録された欠陥の種類に応じて、輝点の場合には視標の境界線から所定距離離すようにして、黒点の場合には視標の表示画素から黒点を所定距離で離す他、黒点を視標の黒色部分に含める（重ねる）ように、視標の表示位置を調整することもできる。この場合、視標の移動距離が最小限となるように選択できるようになり、調整後に違和感なく視標を表示できるようになる。
【００３７】
以上の実施形態では、リモコン２０を使用して、視力値視標の表示位置の調整を行う場合を述べたが、装置本体１に設けられたファンクションスイッチ７に前述の調整モードの機能を持たせても良い。このようにすると、リモコン２０を用意しなくても済むようになるだけでなく、リモコン２０が故障した際の代替手段として使用できるようになる。
【図面の簡単な説明】
【００３８】
【図１】視標呈示装置の外観略図である。
【図２】呈示部の構成と装置の制御系ブロック図である。
【図３】リモコンの構成図である。
【図４】字詰まり視標画面の表示例である。
【図５】字詰まり視標画面の視力値２．０の視標の拡大図である。
【図６】視標全体が移動された状態の画面例である。
【図７】自動的に視標の移動位置を調整（決定）する方法の説明図である。
【図８】カーソルの拡大図である。
【図９】調整情報に基づきディスプレイに表示された視標画面の例である。
【符号の説明】
【００３９】
１  視標呈示装置
７  ファンクションスイッチ
１１、２７  制御ユニット
１２  メモリ
２０  リモコン
３０  ディスプレイ
３１  画素
【図１】
2010233964.tif 000003
【図２】
2010233964.tif 000004
【図３】
2010233964.tif 000005
【図４】
2010233964.tif 000006
【図５】
2010233964.tif 000007
【図６】
2010233964.tif 000008
【図７】
2010233964.tif 000009
【図８】
2010233964.tif 000010
【図９】
2010233964.tif 000011